(57)【要約】【課題】  無線タグ本来の性能を維持しつつ、封入容器に無線タグを容易に挿抜く可能な無線タグ封入容器を提供すること。【解決手段】  無線タグ封入容器１は、長方形の平板状の基板２と、この基板２上に、上辺３を除く３辺部に形成された側壁４と、この側壁４を介して前記基板２に対向して配置された、長方形の平板状の封印板５により構成されている。この封印板５は、前記基板２および側壁４とともに、無線タグ６を収納する収納溝７を形成する。封印板５には、その中央部に、収納溝７に連通する連通穴９が形成されている。【選択図】  図１
2006268725.tif 000002
【特許請求の範囲】
【請求項１】
平板状の基板と、この基板表面の一部を除く周辺部に形成された側壁と、この側壁を介して前記基板に対向して配置され、前記基板および側壁とともに、無線タグを前記側壁が形成されない周辺部から挿抜可能に収納する収納溝を形成するように設けられた平板状の封印板と、この封印板に、前記収納溝に連通する連通穴を有することを特徴とする無線タグ封入容器。
【請求項２】
前記封印板は絶縁材料で構成されていることを特徴とする請求項１記載の無線タグ封入容器。
【請求項３】
前記基板と前記封印板との間隔は、前記無線タグの厚さと同等、或いはそれ以下であることを特徴とする請求項１記載の無線タグ封入容器。
【請求項４】
対象物の表面に、ほぼ矩形を構成する１辺を除く３辺上に側壁を設け、この側壁を介して前記対象物の表面に対向して、連通穴を有する封印板を配置することにより、前記対象物の表面および側壁とともに収納溝を形成し、この収納溝内に、無線タグを前記側壁が形成されない辺部から挿抜可能に収納することを特徴とする無線タグ封入方法。
【発明の詳細な説明】
【技術分野】
【０００１】
本発明は、無線データーキャリア（ＲＦＩＤ）を封入する容器に関し、特に、ＲＦＩＤタグを容易に容器から分離できる構造の封入容器および無線タグの封入方法に関する。
【背景技術】
【０００２】
従来、ＲＦＩＤタグ（以下では無線タグという。）は、例えば、ベース基材と被覆材との重ね合わせ内面に、ＩＣタグを非接着状態でパッケージングされている（特許文献１参照）。
【０００３】
このようなパッケージ構造で封入されている無線タグを処分する際、産業廃棄物となるＩＣ部分とアンテナ部分とを、容易に取り出して分別することが可能となり、また、利用シーンに合わせたハンドリングも容易になる。
【特許文献１】特開２００２−１５７５６９号公報
【発明の開示】
【発明が解決しようとする課題】
【０００４】
しかしながら、このパッケージ化が、結果として、無線タグ本来の無線認識に関する性能、すなわち、認識率を低下させてしまう原因にもなっていた。
【０００５】
例えば、無線タグは、接触するものが、空気なのか紙なのか、または、金属なのかといった用途に合わせて、アンテナに工夫がなされるが、こうした工夫もパッケージ化により認識率などの性能が落ちてしまうという問題があった。
【０００６】
例えば、上記の特許文献１に開示されているパッケージ構造では、無線タグがパッケージに密着しているため、空気や金属に合わせてチューニングされたアンテナを持つタグを封入すると、アンテナがパッケージの材質による影響を受けるため、無線タグへの読込み性能が充分に発揮されない。
【０００７】
また、複数の無線タグが存在する場合には、無線タグのアンテナが相互に干渉しあって、本来の性能が引き出せないという問題もあった。
【０００８】
そこで、本発明の目的は、無線タグ本来の性能を低下することなく、且つ、無線タグを封入容器から容易に出し入れできる無線タグ封入容器および無線タグの封入方法を提供することにある。
【課題を解決するための手段】
【０００９】
本発明の無線タグ封入容器は、平板状の基板と、この基板表面の一部を除く周辺部に形成された側壁と、この側壁を介して前記基板に対向して配置され、前記基板および側壁とともに、無線タグを前記側壁が形成されない周辺部から挿抜可能に収納する収納溝を形成するように設けられた平板状の封印板と、この封印板に、前記収納溝に連通する連通穴を有することを特徴とするものである。
【００１０】
また、本発明の無線タグ封入容器においては、前記封印板は絶縁材料で構成されていることを特徴とするものである。
【００１１】
さらに、本発明の無線タグ封入容器においては、前記基板と前記封印板との間隔は、前記無線タグの厚さと同等、或いはそれ以下であることを特徴とするものである。
【００１２】
また、本発明の無線タグ封入方法は、対象物の表面に、ほぼ矩形を構成する１辺を除く３辺上に側壁を設け、この側壁を介して前記対象物の表面に対向して、連通穴を有する封印板を配置することにより、前記対象物の表面および側壁とともに収納溝を形成し、この収納溝内に、無線タグを前記側壁が形成されない辺部から挿抜可能に収納することを特徴とする。
【発明の効果】
【００１３】
本発明によれば、封入容器を構成する封印板に、無線タグ収納溝に連通する連通穴が形成されているため、空気や金属等の接触媒体に合わせてアンテナがチューニングされた無線タグを収納した場合にも、この連通穴を通して電波が伝播される結果、パッケージの材質や、パッケージの貼付け対象の材質に影響されることなく、無線タグ本来の認識性能を発揮することができる。
【００１４】
また、本発明によれば、上記封印板に形成された連通穴を通して指先を無線タグに直接接触させ、これをスライドさせてパッケージ容器から取り出すことができるため、容器の破損などにより、無線タグを新しい容器に移行する場合などには、容易に作業ができる。
【発明を実施するための最良の形態】
【００１５】
以下、本発明の実施形態につき、図面を用いて詳細に説明する。
【００１６】
図１は本発明による無線タグ封入容器の斜視図、図２は図１の破線Ａ−Ａに沿った断面図である。
【００１７】
無線タグ封入容器１は、長方形の平板状の基板２と、この基板２上に、上辺３を除く３辺部に形成された側壁４と、この側壁４を介して前記基板２に対向して配置された、長方形の平板状の封印板５により構成されている。この封印板５は、前記基板２および側壁３とともに、無線タグ６を収納する収納溝７を形成する。この収納溝７は、封入容器１の上端面３には側壁が形成されないため、収納溝７は、封入容器１の上端面に開口部８が形成され、この開口部８を介して無線タグ６が挿抜可能に収納可能になっている。なお、無線タグ６は、ＩＣチップ６−１とこれに接続されたアンテナ導体６−２とが、例えば、透明な樹脂フィルム等でラッピングされている。
【００１８】
封印板５には、その中央部に、収納溝７に連通する連通穴９が形成されている。この連通穴９は、指の一部が挿入可能な寸法に形成されている。封印板５は、収納溝７内に収納された無線タグ６が他の無線タグや金属性の物体と直接接触することを防ぐとともに、封印板５に形成された連通穴９を通して無線タグ６と交信させるように機能する。
【００１９】
封印板５と無線タグ６を挟み込む基板２との間隔、すなわち、収納溝７の幅は、無線タグ６の厚さと同等か、もしくはそれ以下に設定されており、収納された無線タグ６が収納溝７から容易に抜け出さないように構成されている。
【００２０】
このように構成された無線タグ封入容器１に無線タグ６を収納する場合には、無線タグ６を封入容器１の上端面に形成された開口部８から滑り込ませることにより挿入する。図１および図２は、無線タグ６が収納された状態の無線タグ封入容器１が示されている。
【００２１】
他方、無線タグ封入容器１内に収納された無線タグ６を取り出す場合は、封印板５に形成された連通穴９に指を挿入し、指の腹面を無線タグ６に接触させ、無線タグ６を収納溝７で上方に滑らせて、上端面の開口部８から取り出す。
【００２２】
以上説明した本発明の実施例に係る無線タグ封入容器によれば、封入容器１を構成する封印板５に、無線タグ収納溝７に連通する連通穴９が形成されているため、空気や金属等の接触媒体に合わせてアンテナがチューニングされた無線タグを収納した場合にも、この連通穴９を通して電波が伝播される結果、パッケージの材質や、パッケージの貼付け対象の材質に影響されることなく、無線タグ本来の認識性能を発揮することができる。
【００２３】
また、上記無線タグ封入容器によれば、上記封印板５に形成された連通穴９を通して指先を無線タグ６に直接接触させ、これをスライドさせて封入容器１から取り出すことができるため、容器の破損などにより、無線タグを新しい容器に移行する際には、交換作業を極めて容易に行うことができる。
【００２４】
また、上記封印板５はプラスチック等の絶縁材で構成することにより、隣接するタグアンテナ間で相互に影響すること、あるいは、無線タグが添付される金属対象物による影響を防止することができる。
【００２５】
なお、上記の実施形態の説明においては、基板、側壁、封印板等全て別部材で構成するように記載したが、これらを一体に構成してもよいことはいうまでもない。
【００２６】
また、平板状の基板は、必ずしも独立した基板である必要はなく、無線タグを貼付する対象物、例えば、郵便封筒の表面を基板として利用することも可能である。
【図面の簡単な説明】
【００２７】
【図１】本発明による無線タグ封入容器の斜視図である。
【図２】本発明による無線タグ封入容器の断面図である。
【符号の説明】
【００２８】
１  パッケージ容器
２  基板
３  上辺
４  側壁
５  封印板
６  無線タグ
６−１  ＩＣチップ
６−２  アンテナ導体
７  収納溝
８  開口部
９  連通穴
【図１】
2006268725.tif 000003
【図２】
2006268725.tif 000004